(57)【要約】【課題】使い勝手がよいとともに、湿布体をしわ無く確実に患部へ貼り付けることができ、実用性に優れるうえ、簡単な構造で製造できる湿布体の貼付器を提供する。【解決手段】表面側は湿布布地１０２が露出され、裏面側は貼付面１０４が形成されて該貼付面１０４が剥離フィルム１０６で保護された湿布体１００を、剥離フィルム１０６を剥離して患部Ｐへ貼り付ける湿布体の貼付器であり、一面側１８に側面視円弧状の凸面２０を形成した支持基体１２と、支持基体１２の凸面２０とは反対面側１９に取り付けられた把手１４と、該支持基体１２の凸面２０側に設けられ、湿布体１２のしわ寄りの無い展開状態でその表面側１０３の面全体を係着して該湿布体１００を着脱自在に仮保持する仮保持部１６と、を備えたことを特徴とする湿布体の貼付器１０から構成される。【選択図】図１
0003147824.tif 000002
【実用新案登録請求の範囲】
【請求項１】
表面側は湿布布地が露出され、裏面側は貼付面が形成されて該貼付面が剥離フィルムで保護された湿布体を、剥離フィルムを剥離して患部へ貼り付ける湿布体の貼付器であり、
一面側に側面視円弧状の凸面を形成した支持基体と、
支持基体の凸面とは反対面側に取り付けられた把手と、
該支持基体の凸面側に設けられ、湿布体のしわ寄りの無い展開状態でその表面側の面全体を係着して該湿布体を着脱自在に仮保持する仮保持部と、を備えたことを特徴とする湿布体の貼付器。
【請求項２】
仮保持部は、湿布体の表面側に係着する多数の微小フックを面状に配列したフック面を有する請求項２記載の湿布体の貼付器。
【請求項３】
仮保持部は多数の微小フックを配列したフック面付き可撓性シートからなり、
支持基体は、把手が連結された剛性ベース部材と、
該剛性ベース部材の一面側に張設される弾性変形・弾性復元自在なクッション部材であり、その表面側に側面視円弧状の凸面が形成されるとともに該凸面に該可撓性シートが張設されるクッション部材と、を含む請求項２記載の湿布体の貼付器。
【請求項４】
剛性ベース部材は、側面視円弧状に曲成された矩形状板部材からなる請求項３記載の湿布体の貼付器。
【請求項５】
把手は、側面視円弧状に曲成された矩形状板部材の円弧両端側を架設するように設けられた請求項４記載の湿布体の貼付器。
【考案の詳細な説明】
【技術分野】
【０００１】
本考案は、冷又は温の湿布体を患部に貼り付けるのに利用される湿布体の貼付器に関する。
【背景技術】
【０００２】
例えば、肩、腕、首、背中、腰、脚等身体の各部位の炎症、筋肉痛等による痛みを和らげるために、冷湿布又は温湿布等の湿布薬が利用されることがある。湿布体は、例えば、薬剤を布地に浸み込ませており、その一面側には湿布薬を患部へ貼り付けるための粘着面が形成されて該粘着面には保護するために剥離フィルムが貼り付けられている。湿布薬は自在に撓むことから、剥離フィルムを剥いだり、患部へ貼り付ける際には、しわが寄ったり、粘着面どうしがくっついたりして扱いにくく煩わしくなることが多い。一方、例えば特許文献１には湿布貼り器が提案されている。この特許文献１の湿布貼り器では、矩形枠状に枠組み構成され一辺の部分を回転自在に支持した円柱木材で構成した器具を２個用意し、剥離フィルムを剥いだ湿布薬を台においてその端部側に２つの器具を載せて夫々の回転自在な円柱木材を湿布薬の粘着部を介して接続し、一方の器具を手で持ってぶら下げると他方の器具が錘となって湿布薬がピンと張られ、その状態で患部に湿布薬を貼り付けるものであった。
【０００３】
【特許文献１】特開２００５−２７０６０９号公報
【考案の開示】
【考案が解決しようとする課題】
【０００４】
しかしながら、特許文献１の湿布貼り器では、枠状の器具の回転する円柱木材に湿布薬の粘着力を利用して貼り付けて、ぶら下がり状に保持させる構成であるから、ぶら下がり状態で全体的に不安定で、器具の重みで湿布薬が円柱木材から離脱して床に落下したり、ねじれて粘着面どうしが引っ付いたり、湿布薬が別の物に引っ付いたりして実際にはうまくいかないおそれがあった。さらに、患部に貼り付ける際に円柱木材の分だけ湿布体の貼付面と患部との間に隙間ができるので、湿布体の貼付面全体を患部へ確実に貼り付けることが困難で、湿布体が患部から容易に剥がれたり、しわが寄ったりしやすく、実用性に乏しかった。また、湿布薬の粘着力を利用して器具に取り付けるので、湿布薬の粘着力が低下しやすかった。さらに、湿布薬からフィルムを剥がして台の上に置く作業では、湿布薬の粘着面どうしが引っ付いたりしわが寄りやすく煩わしかった。
【０００５】
本考案は上記従来の課題に鑑みてなされたものであり、その一つの目的は、湿布体の貼り付け操作全体で使い勝手がよく、湿布体をしわ無く確実に患部へ貼り付けることができるうえ、簡単な構造で低コストで製造できる湿布体の貼付器を提供することにある。
【課題を解決するための手段】
【０００６】
上記課題を解決するために本考案は、表面側は湿布布地１０２が露出され、裏面側は貼付面１０４が形成されて該貼付面１０４が剥離フィルム１０６で保護された湿布体１００を、剥離フィルム１０６を剥離して患部Ｐへ貼り付ける湿布体の貼付器であり、一面側１８に側面視円弧状の凸面２０を形成した支持基体１２と、支持基体１２の凸面２０とは反対面側１９に取り付けられた把手１４と、該支持基体１２の凸面２０側に設けられ、湿布体１２のしわ寄りの無い展開状態でその表面側１０３の面全体を係着して該湿布体１００を着脱自在に仮保持する仮保持部１６と、を備えたことを特徴とする湿布体の貼付器１０から構成される。
【０００７】
また、仮保持部１６は、湿布体１００の表面側１０３に係着する多数の微小フック２８を面状に配列したフック面３０を有することとしてもよい。
【０００８】
また、仮保持部１６は多数の微小フック２８を配列したフック面３０付き可撓性シート３４からなり、支持基体１２は、把手１４が連結された剛性ベース部材２２と、該剛性ベース部材２２の一面側に張設される弾性変形・弾性復元自在なクッション部材２４であり、その表面側（１８）に側面視円弧状の凸面２０が形成されるとともに該凸面２０に該可撓性シート３４が張設されるクッション部材２４と、を含むこととしてもよい。
【０００９】
また、剛性ベース部材２２は、側面視円弧状に曲成された矩形状板部材からなることとしてもよい。
【００１０】
また、把手１４は、側面視円弧状に曲成された矩形状板部材の円弧両端側を架設するように設けられたこととしてもよい。
【考案の効果】
【００１１】
本考案の湿布体の貼付器によれば、表面側は湿布布地が露出され、裏面側は貼付面が形成されて該貼付面が剥離フィルムで保護された湿布体を、剥離フィルムを剥離して患部へ貼り付ける湿布体の貼付器であり、一面側に側面視円弧状の凸面を形成した支持基体と、支持基体の凸面とは反対面側に取り付けられた把手と、該支持基体の凸面側に設けられ、湿布体のしわ寄りの無い展開状態でその表面側の面全体を係着して該湿布体を着脱自在に仮保持する仮保持部と、を備えたことから、仮支持部に湿布体をしわ寄りの無い展開状態を維持しながら仮保持させておくことにより、湿布体から剥離フィルムを剥離する操作や湿布体の貼付面を患部にあてがって湿布体を貼り付ける操作等の際に、湿布体が撓んで粘着面どうしがくっついたりしわが寄ったりするのを良好に防止でき、貼り付け操作全体をスムーズに行うことができ、使い勝手がよく、誰でも簡便に湿布体を患部にしわ無く確実に貼り付けることができる。さらに、仮保持部は湿布体の表面側に係着することにより、湿布体の貼付面全面が露出されかつ該貼付面全面を患部へ確実に密着させることができると同時に、仮保持部による保持は湿布体の貼付面の粘着力を一切利用しないので粘着力の低下を防止できる。また、可動部分がなく、かつ部品点数も比較的少なくて構造が簡単で低コストで製造できるとともに、保管、管理、持ち運び等も簡便に行える。
【００１２】
また、仮保持部は、湿布体の表面側に係着する多数の微小フックを面状に配列したフック面を有する構成とすることにより、簡単な構造であるとともに、例えば広げた状態の湿布体の表面側をフック面側に当てがって軽く押えつけるだけで簡単に係着できるとともに、湿布体の貼付面を患部に貼り付けた後には貼付面と患部との貼り付きにより容易に微小フックを該湿布体から離脱でき、貼り付け操作に応じてスムーズな湿布体の着脱操作を具現できる。さらに、湿布体を繰返し何度も仮保持させて貼付器を長期的に使用できる。
【００１３】
また、仮保持部は多数の微小フックを配列したフック面付き可撓性シートからなり、支持基体は、把手が連結された剛性ベース部材と、該剛性ベース部材の一面側に張設される弾性変形・弾性復元自在なクッション部材であり、その表面側に側面視円弧状の凸面が形成されるとともに該凸面に該可撓性シートが張設されるクッション部材と、を含む構成とすることにより、仮保持部に仮保持した湿布体を患部に貼り付ける際に、可撓性シート及びクッション部材により身体の凹凸等に応じて自在に変形することで仮保持部で仮保持した湿布体を患部に密着させながら貼り付けることができると同時に、剛性ベース部材によりクッション部材を有していても把手からの操作力を仮保持部側へ伝達できるので、湿布体の貼り付け操作の確実性をより向上できる。
【００１４】
また、剛性ベース部材は、側面視円弧状に曲成された矩形状板部材からなる構成とすることにより、簡単な構造で製造できるとともに、仮保持部に仮保持した湿布体を患部に貼り付ける際に、把手からの操作力を凸面側全体に確実に作用させて該湿布体を患部に密着させ、湿布体を患部にしわ無く確実に貼り付けることができる。
【００１５】
また、把手は、側面視円弧状に曲成された矩形状板部材の円弧両端側を架設するように設けられた構成とすることにより、支持基体の凸面側に設けられた仮保持部に仮保持した湿布体を患部に貼り付ける際に、把手を握った状態で凸面形状に対応した揺動状の押し当て操作を行ないやすく操作性がよい。さらに、把手からの貼り付け操作力を凸面全体に確実に作用させることができ、該湿布体を患部に密着させてしわ無く確実に貼り付けることができる。
【考案を実施するための最良の形態】
【００１６】
以下、添付図面を参照しつつ本考案の湿布体の貼付器の実施の形態について説明する。本実施形態の湿布体の貼付器は、例えば、薬剤を担持した冷湿布や温湿布等の湿布体を肩や腰等の所定の患部に貼り付ける際に好適に利用できる湿布体貼り付け操作の補助具である。図１ないし図８は、本考案の湿布体の貼付器の一実施形態を示している。図１、図２、図３に示すように、本実施形態において、湿布体の貼付器１０は、支持基体１２と、該支持基体１２に取り付けられた把手１４と、湿布体１００を着脱自在に仮保持する仮保持部１６と、を備えている。湿布体の貼付器１０は、一旦仮保持部１６に湿布体１００を仮保持させて患部へ貼り付けて、該仮保持部１６から湿布体を離脱させて患部へ貼り付け操作される。
【００１７】
図１に示すように、本実施形態に係る湿布体の貼付器１０を介して貼り付けられる湿布体１００としては、例えば、縦横が１４ｃｍ×１０ｃｍ程度の縦長矩形状の布地１０２からなる湿布本体に冷却用または温熱用の薬剤等を担持されており、その表面側１０３は布地１０２が露出され、裏面側は粘着力により人体の所要の患部へ貼付可能とする粘着剤等からなる貼付面１０４が形成されている。貼付面１０４には剥離フィルム１０６が貼り付けられ、該貼付面１０４が保護されている。湿布体１００を患部へ貼り付ける際には、剥離フィルム１０６を剥離して貼付面１０４を露出し粘着力により患部に貼り付けられる。
【００１８】
図１、図２、図３に示すように、支持基体１２は、後述の把手１４及び仮保持部１６を一体的に組み付けてユニット化している。本実施形態では、支持基体１２は、一面側１８に側面視円弧状の凸面２０を形成している。具体的には、支持基体１２は、例えば、把手１４が連結された剛性ベース部材２２と、側面視円弧状の凸面２０を形成したクッション部材２４と、を有している。よって、本実施形態では、支持基体１２は２層構造となっており、支持基体１２の一面側１８はクッション部材２４の凸面２０で形成され、支持基体１２の反対面側１９は剛性ベース部材２２の裏面で形成されている。
【００１９】
剛性ベース部材２２は、例えば、プラスチック等の硬質合成樹脂からなり、略１６ｃｍ×１０ｃｍ程度の大きさの縦長略矩形状で、長手方向に沿って側面視円弧状にあるいは弓形状に曲成された矩形状板部材からなる。そして、剛性ベース部材２２の表面側（一面側）となる円弧凸面側にクッション部材２４が張設されるとともに、裏面側となる円弧凹面側に把手１４が一体的に取り付けられる。剛性ベース部材２２を介して、把手１４からの貼り付け操作力を仮保持部１６側へ良好に伝達しうる。剛性ベース部材２２の短辺縁部、すなわち側面視円弧形状の両端部側は略円柱状部２３が形成されており、把手１４の両端部が接続されている。円柱状部２３は、例えば、断面円形状の杆部材を心材として剛性ベース部材の矩形状板部材の端部側を巻回状に曲成して構成されている。なお、剛性ベース部材２２は、板部材に限らず例えば、平板部材や、フレーム枠材や、一面側が凸面で反対面側が平面となるような側面視変形半楕円形状となるブロック体等その他任意のものでもよい。また、円柱状部は設けなくてもよく、剛性ベース部材と把手とを一体成型で構成してもよい。
【００２０】
クッション部材２４は、自在に弾性変形、弾性復元する弾力性部材であり、本実施形態では、例えば、ゴムまたは合成樹脂等からなるスポンジ体からなり、剛性ベース部材２２と後述の仮保持部１６との間に介設される。スポンジ体からなるクッション部材２４は、例えば、剛性ベース部材２２の略矩形状の外形輪郭形状と略同様の大きさの縦長矩形状で、かつ側面視円弧状となる湾曲板状に形成されている。クッション部材２４は、その裏面側となる円弧凹面側を剛性ベース部材２２の表面側の円弧凸面に密着させるように張設されて例えば接着剤等により固定されるとともに、クッション部材２４の表面側の凸面側に仮保持部１６が設けられている。クッション部材２４は、通常は湿布体１００を仮保持する仮保持部１６を所定の凸面形状に保持しているが、該仮保持部１６に仮保持した湿布体を患部に貼り付ける際に、患部の凹凸形状に対応して自在に弾性変形させながら、該湿布体を患部に密着させることができ、湿布体をしわ無く確実に貼り付けることが可能となる。なお、クッション部材２４は、その表面側に凸面２０が形成され、裏面側は剛性ベース部材の表面側の形態に応じて設けられる。
【００２１】
把手１４は、湿布体の貼付器１０の操作用持ち手であり、上述のように仮保持部１６が設けられる支持基体１２の凸面２０側とは反対面側に取り付けられる。図１、図３に示すように、本実施形態では、把手１４は、例えば、プラスチック等の硬質合成樹脂製で、ある程度の幅で帯状に一方に長く設けられ、かつ長手方向に側面視円弧状に或いは弓形状に曲成された帯板部材からなる。把手１４は、剛性ベース部材２２の側面視円弧状の曲成方向とは逆に凸となるように配置されて該剛性ベース部材２２の円弧両端側を架設されており、長手両端部側を剛性ベース部材の円柱状部の中央位置に連結されて固定されている。把手１４と剛性ベース部材２２の裏面側との間には、端部側が狭く中央部側に向けて次第に広くなるような側面視略笹葉形状の空隙２６が形成されており、把手１４を持つ際に手を入れて確実に把持できるようになっている。さらに、剛性ベース部材２２の曲成方向に向けて架設されているので、貼り付け操作の際に把手１４からの力を凸面側に設けられる仮保持部全体に良好に伝達でき、確実に湿布体を貼り付けできる。なお、把手の形状は上記実施形態に限らず、例えばコ字状に形成したり、杆部材やノブ状に形成したり、その他任意に設定してもよい。
【００２２】
図１、図２、図４に示すように、仮保持部１６は、クッション部材２４の凸面２０側すなわち支持基体１２の凸面側に設けられ、湿布体１００の表面側の面全体に係着して該湿布体１００を着脱自在に仮保持する仮保持手段である。仮保持部１６は、湿布体を仮保持させる表面側がクッション部材２４の凸面２０形状に対応した側面視円弧状の凸面となっている。仮保持部１６に湿布体の表面側１０３を係着する際には、湿布体１００を広げたしわ寄りのない展開状態で同凸面形状に密着状に配置させ、該展開状態を維持しながら仮保持する。
【００２３】
仮保持部１６は、例えば１〜２ｍｍ程度の高さで立設された多数の微小フック２８を面状に配列したフック面３０を有しており、該微小フック２８を湿布体１００の表面側の露出している布地１０２に引っ掛け状又は咬み込み状に係着させて着脱自在に仮保持する。各微小フック２８は、例えば、細糸状の合成樹脂製からなり、ループ形状の一部を切欠いたようなフック形状形成されている。なお、微小フックのフック切欠きの向きは所定列ごとに１８０度ずつ逆向きになっていてもよいし、全ての向きが同じでも良く、その他任意の配列でもよい。また、微小フックの形状は任意でもよい。さらに具体的には、仮保持部１６は、例えば、布やナイロン等の合成繊維等からなる可撓性のシート材３２の表面側に多数の微小フック２８を面状に配列したフック面３０付き可撓性シート３４からなる。該フック面付き可撓性シート３４は、裏面側をクッション部材２４の凸面側に密着させて張設され例えば接着剤等により固定されている。このような微小フック２８を配列したフック面３０に向けて湿布体の表面側１０３を密着させて軽く押圧すると容易に係着できるとともに、逆に湿布体１００を縁部側から引き剥がし状に引っ張ると容易にフック面３０との係着を解除して該湿布体を離脱できる。これにより、湿布体１００を患部に貼り付ける際には、図７に示すように仮保持部１６に湿布体１００を仮保持した状態で湿布体１００の剥離フィルム１０６を剥離し、露出された湿布体の貼付面を患部に当てて支持基体１２の凸面曲面に沿って揺動状に動かして順に押し付けていくと、貼付面１０４の粘着力により該湿布体が患部へ貼り付けられていくと同時に、該患部側への貼り付けに伴って湿布体は仮保持部１６から離脱される。すなわち、湿布体の患部への貼り付けと湿布体の仮保持部により仮保持の解除とを同時に行いながら貼り付け操作する。なお、仮保持部１６による湿布体１００の仮保持力（湿布体の表面側との係着力）は、湿布体の貼付面による患部への貼付力よりも弱く設定されるとよい。また、仮保持部１６による湿布体１００の仮保持力（湿布体の表面側との係着力）は、湿布体の貼付面１０４に対する剥離フィルム１０６の貼付力よりも強く設定されていてもよい。
【００２４】
次に、図５ないし図８を参照しつつ本実施形態に係る湿布体の貼付器１０の作用について説明する。図５に示すように、例えば、一方の片手で把手１４を掴んだ状態で、他方の片手で湿布体を仮保持部に仮保持させる。この際、剥離フィルム１０６を貼り付けたままの湿布体１００をしわ無く広げて、その表面側を仮保持部１６側に向けて密着させる。そして剥離フィルム側から軽く押圧すると、仮保持部１６の多数の微小フックが湿布体１００の表面側の露出された布地１０２と係着して、該湿布体をしわ寄りの無い展開状態を維持しながら仮保持する。この際、湿布体にはまだ剥離フィルムが貼り付けられているので仮保持操作を行ないやすい。図６に示すように、湿布体１００を仮保持部１６に仮保持させた状態で剥離フィルム１０６を離脱する。この際も湿布体１００は仮保持部に係着されており、しわ寄りの無い展開状態で保持されるので簡単に操作できる。図７に示すように、露出された湿布体の貼付面１０４を支持基体１２の側面視円弧状の凸面２０の円弧端部側から患部Ｐに当てがいながら、凸面２０形状に併せて順次押し付けるように揺動状に動かして患部Ｐへ貼り付け操作する。湿布体の貼付面１０４が患部Ｐに当接して貼り付けられるのと同時に、仮保持部１６による該湿布体１００の表面側との係着を解除していく。最終的に、図８に示すように、湿布体の貼付面全体が患部に貼り付けられ、貼付器１０は湿布体から完全に離脱される。さらにこの際、仮保持部１６は可撓性シート３４からなるとともに支持基体１２にクッション部材２４を設けているので、患部の凹凸形状に対応して密着させることができる。このようにして簡単な操作で、湿布体１００を患部Ｐにしわ無く確実に貼り付けることができる。
【００２５】
以上説明した本考案の湿布体の貼付器は、上記した実施形態のみの構成に限定されるものではなく、実用新案登録請求の範囲に記載した本考案の本質を逸脱しない範囲において、任意の改変を行ってもよい。
【産業上の利用可能性】
【００２６】
本考案の湿布体の貼付器は、冷却用又は温熱用の湿布体を患部に貼り付ける際に好適に用いられる。
【図面の簡単な説明】
【００２７】
【図１】本考案の実施形態に係る湿布体の貼付器の側面図及び湿布体の側面図である。
【図２】図１の湿布体の貼付器の仮保持部側から見た概略斜視図である。
【図３】図１の湿布体の貼付器の把手部側から見た概略斜視図である。
【図４】図１の湿布体の貼付器の仮保持部の一部を拡大した説明図である。
【図５】図１の湿布体の貼付器に湿布体を仮保持させた状態の説明図である。
【図６】図５の状態から湿布体の剥離フィルムを剥離した状態の説明図である。
【図７】湿布体を患部に貼り付ける際の説明図である。
【図８】図７の湿布体の貼付器を患部に貼り付けた湿布体から離脱させた状態の説明図である。
【符号の説明】
【００２８】
１０    湿布体の貼付器
１２    支持基体
１４    把手
１６    仮保持部
２０    凸面
２２    剛性ベース部材
２４    クッション部材
２８    微小フック
３０    フック面
３４    フック付き可撓性シート
１００    湿布体
１０２    布地
１０３    表面側
１０４    貼付面
１０６    剥離フィルム
Ｐ    患部
【図１】
0003147824.tif 000003
【図２】
0003147824.tif 000004
【図３】
0003147824.tif 000005
【図４】
0003147824.tif 000006
【図５】
0003147824.tif 000007
【図６】
0003147824.tif 000008
【図７】
0003147824.tif 000009
【図８】
0003147824.tif 000010